【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
複数の特徴と、前記複数の特徴のうちの予め定められたものを可能化または不能化されると規定するデフォルト構成プロファイルとを有するハザード検出器を構成するための方法であって、前記方法は、
ユーザが住居内の前記ハザード検出器を設置するための指定場所を入力する機会を提供するステップと、
前記指定場所を受信したことに応答して、前記指定場所に基づいて可能化または不能化すべき前記複数の特徴のうちの少なくとも１つの特徴を識別するステップと、
前記少なくとも１つの特徴を識別したことに応答して、前記ハザード検出器の前記複数の特徴のうちの前記少なくとも１つの特徴を可能化または不能化するコマンドをインスタンス化するステップとを備える、方法。
【請求項２】
前記複数の特徴は煙検出および一酸化炭素検出を含み、前記デフォルト構成プロファイルは、前記煙検出および一酸化炭素検出の両方を可能化されると規定し、前記指定場所が、一酸化炭素検出が推奨されない予め定められたタイプの場所である場合、前記一酸化炭素検出は不能化される、請求項１に記載の方法。
【請求項３】
前記一酸化炭素検出が推奨されない予め定められたタイプの場所は、ガレージタイプの場所である、請求項２に記載の方法。
【請求項４】
前記ハザード検出器のメモリに予め記憶された情報にアクセスして、前記指定場所に基づいて可能化または不能化すべき前記少なくとも１つの特徴を識別するステップをさらに備える、請求項１から３のいずれか１項に記載の方法。
【請求項５】
前記ハザード検出器から遠隔のデータベースに予め記憶された情報にアクセスして、前記指定場所に基づいて可能化または不能化すべき前記少なくとも１つの特徴を識別するステップをさらに備える、請求項１から４のいずれか１項に記載の方法。
【請求項６】
前記複数の特徴のうちの関連付けられた特徴が可能化と不能化との間で切換えられるように、前記ユーザが前記デフォルト構成プロファイルにおける特定の設定をオーバーライドする機会を提供するステップをさらに備える、請求項１から５のいずれか１項に記載の方法。
【請求項７】
前記ハザード検出器のスピーカシステムによって、前記ハザード検出器を設置するための前記指定場所の入力の可聴要求を出力するステップと、
前記ハザード検出器の機械的入力装置の作動によって、前記ハザード検出器を設置するための前記指定場所の指示を受信するステップとをさらに備える、請求項１から６のいずれか１項に記載の方法。
【請求項８】
前記ハザード検出器の外部のコンピューティングデバイスに、ユーザインターフェイスを介して、前記ハザード検出器を設置するための前記指定場所の入力を促させるステップと、
前記ハザード検出器の外部の前記コンピューティングデバイスに、前記指定場所を前記ハザード検出器および前記ハザード検出器の外部のコンピューティングデバイスの一方に送信させて、前記指定場所に基づいて可能化または不能化すべき前記少なくとも１つの特徴を識別させるステップとをさらに備える、請求項１から７のいずれか１項に記載の方法。
【請求項９】
前記住居の特定の領域特有場所の指定を受信するステップと、
前記指定に基づいて可能化または不能化すべき前記複数の特徴のうちの少なくとも１つの特徴を識別するステップと、
前記ハザード検出器の前記複数の特徴のうちの前記少なくとも１つの特徴を可能化または不能化するコマンドをインスタンス化するステップとをさらに備える、請求項１から８のいずれか１項に記載の方法。
【請求項１０】
前記指定は、郵便番号、タイムゾーン、および番地のうちの１つであり、前記少なくとも１つの特徴は、ハザードイベントの検出の後の自動的な中央コールセンター通知、および夏時間設定の自動的な呼出しの一方に関する、請求項９に記載の方法。
【請求項１１】
ハザード検出器であって、
１つ以上の警報機能および１つ以上の家庭生活向上機能を含む複数の統合特徴と、
少なくとも１つの前記統合特徴と作動的通信状態における処理システムとを備え、前記処理システムは、
前記ハザード検出器を設置するための住居内の特定の場所を指定するユーザベースの入力に応答して、少なくとも１つの統合特徴を第１のステータスから可能化ステータスおよび不能化ステータスの一方に切換え、その指示はユーザインターフェイスを介して勧告として出力される、ハザード検出器。
【請求項１２】
前記複数の統合特徴は、一酸化炭素検出特徴および煙検出特徴の少なくとも一方を含む、請求項１１に記載のハザード検出器。
【請求項１３】
前記複数の統合特徴は、モーション起動式の照明特徴を含む、請求項１１または１２に記載のハザード検出器。
【請求項１４】
前記複数の統合特徴は、ドアベル通知特徴およびインターコム通信特徴の少なくとも一方を含む、請求項１１から１３のいずれか１項に記載のハザード検出器。
【請求項１５】
前記複数の統合特徴は、音声コマンド認識、ガラス破壊認識、および救難音声認識から選択される音認識特徴を含む、請求項１１から１４のいずれか１項に記載のハザード検出器。
【請求項１６】
前記複数の統合特徴は、占有検出特徴および停電通知特徴の少なくとも一方を含む、請求項１１から１５のいずれか１項に記載のハザード検出器。
【請求項１７】
前記複数の統合特徴は、製造時に前記ハザード検出器に組込まれる、請求項１１から１６のいずれか１項に記載のハザード検出器。
【請求項１８】
前記複数の統合特徴は、データ通信ネットワークを通じてリモートサーバからソフトウェア更新を受信することによって付加的なそのような特徴を含むように更新またはアップグレードされ得る、請求項１１から１７のいずれか１項に記載のハザード検出器。
【請求項１９】
ハザード検出器であって、
出力装置と、
入力装置と、
複数のハザード検出特徴と、
前記出力装置、前記入力装置、および前記複数のハザード検出特徴に作動的に結合されるプロセッサと、
前記プロセッサに作動的に結合されて前記プロセッサによって読取可能であり、プロセッサ読取可能命令を格納しているメモリとを備え、前記命令は、前記プロセッサによって実行されると、前記プロセッサに、
前記出力装置を介して、住居内の前記ハザード検出器を設置するための指定場所のユーザ入力を促すステップと、
前記入力装置を介して、前記住居内の前記ハザード検出器を設置するための前記指定場所の指示を受信するステップと、
前記指定場所に基づいて可能化または不能化すべき前記複数のハザード検出特徴のうちの少なくとも１つの特徴を識別するステップと、
特定のコマンドに応答して、前記複数のハザード検出特徴のうちの前記少なくとも１つの特徴を可能化または不能化するステップとを実行させる、ハザード検出器。
【請求項２０】
前記メモリはさらにデフォルト構成プロファイルを記憶しており、前記複数のハザード検出特徴は一酸化炭素検出を含み、前記デフォルト構成プロファイルは前記一酸化炭素検出を可能化されると規定し、前記指定場所が、一酸化炭素検出が推奨されない予め定められたタイプの場所である場合、前記一酸化炭素検出は不能化される、請求項１９に記載のハザード検出器。
【請求項２１】
ヘッズアップ予警報能力と、標準非常警報能力と、検出すべきハザードについての第１のヘッズアップ予警報閾値および前記検出すべきハザードについての非常警報閾値が含まれるデフォルト構成プロファイルとを有するハザード検出器を構成するための方法であって、前記方法は、
ユーザが前記ハザード検出器を設置するための住居内の指定場所を入力する機会を提供するステップと、
前記指定場所を受信すると、その特定の場所の指定に基づいて第２のヘッズアップ予警報閾値を識別するステップと、
前記第２のヘッズアップ予警報閾値および前記非常警報閾値に従って前記ハザード検出器を動作させるコマンドをインスタンス化するステップとを備える、方法。
【請求項２２】
前記指定場所が、１つ以上の他のタイプの家庭の場所よりも一般に高い前記検出すべきハザードのレベルと関連付けられると予測されるタイプの家庭の場所と一致する場合、前記第２のヘッズアップ予警報閾値を前記第１のヘッズアップ予警報閾値よりも高いレベルに設定するコマンドをインスタンス化するステップをさらに備える、請求項２１に記載の方法。
【請求項２３】
前記１つ以上の他のタイプの家庭の場所よりも一般に高い前記検出すべきハザードのレベルと関連付けられると予測されるタイプの家庭の場所は、台所タイプの場所およびガレージタイプの場所から選択される、請求項２２に記載の方法。
【請求項２４】
前記指定場所が、前記検出すべきハザードによる刺激に影響されやすい１人以上の個人がよく訪れると予測されるタイプの家庭の場所と一致する場合、前記第２のヘッズアップ予警報閾値を前記第１のヘッズアップ予警報閾値よりも低いレベルに設定するコマンドをインスタンス化するステップをさらに備える、請求項２１から２３のいずれか１項に記載の方法。
【請求項２５】
前記検出すべきハザードによる刺激に影響されやすい１人以上の個人がよく訪れると予測されるタイプの家庭の場所は、寝室タイプの場所および介護者タイプの場所から選択される、請求項２４に記載の方法。
【請求項２６】
前記ハザード検出器から遠隔のデータベースに予め記憶された情報にアクセスして、前記特定の場所の指定に基づいて前記第２のヘッズアップ予警報閾値を識別するステップをさらに備える、請求項２１から２５のいずれか１項に記載の方法。
【請求項２７】
前記ハザード検出器のメモリに予め記憶された情報にアクセスして、前記特定の場所の指定に基づいて前記第２のヘッズアップ予警報閾値を識別するステップをさらに備える、請求項２１から２６のいずれか１項に記載の方法。
【請求項２８】
前記ハザード検出器から遠隔のコンピューティングシステムから前記第２のヘッズアップ予警報閾値の更新を周期的にまたは間欠的に受信するステップをさらに備える、請求項２７に記載の方法。
【請求項２９】
前記ユーザが前記第２のヘッズアップ予警報閾値を手動で修正または調整する機会を提供するステップをさらに備える、請求項２１から２８のいずれか１項に記載の方法。
【請求項３０】
ユーザインターフェイスを介して、前記第２のヘッズアップ予警報閾値を修正または調整する入力を促すステップと、
受信したユーザ入力に基づいて前記第２のヘッズアップ予警報閾値を増加または減少させるコマンドをインスタンス化するステップとをさらに備える、請求項２９に記載の方法。
【請求項３１】
ヘッズアップ予警報能力および標準非常警報能力を有するハザード検出器であって、
少なくとも１つのハザード検出特徴と、
前記少なくとも１つのハザード検出特徴と作動的通信状態における処理システムとを備え、前記処理システムは、
前記少なくとも１つのハザード検出特徴が、検出すべきハザードについての第２のヘッズアップ予警報閾値および前記検出すべきハザードについての非常警報閾値に従って動作するように、住居内の前記ハザード検出器の特定の設置場所を識別するユーザ入力に応答して、前記少なくとも１つのハザード検出特徴の第１のヘッズアップ予警報閾値を前記第２のヘッズアップ予警報閾値に調整する、ハザード検出器。
【請求項３２】
前記第２のヘッズアップ予警報閾値は、前記第１のヘッズアップ予警報閾値よりも高いレベルに調整される、請求項３１に記載のハザード検出器。
【請求項３３】
前記第２のヘッズアップ予警報閾値は、前記第１のヘッズアップ予警報閾値よりも低いレベルに調整される、請求項３１に記載のハザード検出器。
【請求項３４】
出力装置をさらに備え、前記ハザードの検出された大きさが前記第２のヘッズアップ予警報閾値よりも大きいが前記非常警報閾値よりも小さいと判断されると、第１の音量強度の特定の可聴アラートが前記出力装置によって生成され、前記ハザードの前記検出された大きさが前記非常警報閾値よりも大きいと判断されると、前記第１の音量強度よりも大きい第２の音量強度の別の特定の可聴アラートが前記出力装置によって生成される、請求項３１から３３のいずれか１項に記載のハザード検出器。
【請求項３５】
前記少なくとも１つのハザード検出特徴は一酸化炭素検出特徴を備える、請求項３１から３４のいずれか１項に記載のハザード検出器。
【請求項３６】
前記少なくとも１つのハザード検出特徴は煙検出特徴を備える、請求項３１から３５のいずれか１項に記載のハザード検出器。
【請求項３７】
出力装置をさらに備え、前記ハザードの検出された大きさが増加していると判断されると、特定の可聴アラートが前記出力装置によって出力され、前記ハザードの上昇レベルを示す、請求項３１から３６のいずれか１項に記載のハザード検出器。
【請求項３８】
出力装置をさらに備え、前記ハザードの検出された大きさが減少していると判断されると、特定の可聴アラートが前記出力装置によって出力され、前記ハザードの下降レベルを示す、請求項３１から３７のいずれか１項に記載のハザード検出器。
【請求項３９】
ハザード検出器であって、
出力装置と、
入力装置と、
少なくとも１つのハザード検出特徴と、
前記出力装置、入力装置、および少なくとも１つのハザード検出特徴に作動的に結合されるプロセッサと、
前記プロセッサに作動的に結合されて前記プロセッサによって読取可能であり、プロセッサ読取可能命令を格納しているメモリとを備え、前記命令は、前記プロセッサによって実行されると、前記プロセッサに、
前記出力装置を介して、住居内の前記ハザード検出器を設置するための指定場所のユーザ入力を促すステップと、
前記入力装置を介して、前記住居内の前記ハザード検出器を設置するための前記指定場所の指示を受信するステップと、
前記少なくとも１つのハザード検出特徴について、前記指定場所に基づいて特定のヘッズアップ予警報閾値を識別するステップと、
前記特定のヘッズアップ予警報閾値および前記特定のヘッズアップ予警報閾値とは異なる非常警報閾値に従って前記少なくとも１つのハザード検出特徴を動作させるステップとを実行させる、ハザード検出器。
【請求項４０】
前記少なくとも１つのハザード検出特徴は、一酸化炭素検出特徴および煙検出特徴から選択される、請求項３９に記載のハザード検出器。
【請求項４１】
住居内の特定の場所に設置され、ヘッズアップ予警報能力および標準非常警報能力を有するハザード検出器の予警報閾値を調整するための方法であって、前記方法は、
特定の期間にわたって前記ハザード検出器の特定のセンサによって検出されたデータを分析して、ハザードレベルが予警報閾値を超えるのに十分であるが非常警報閾値を超えるのには不十分である再発傾向を識別するステップと、
前記再発傾向のその後のインスタンスの開始を検出すると、前記ハザード検出器が前記再発傾向の検出されたインスタンスについて予警報アラートをインスタンス化する可能性が低下するが、前記再発傾向がない場合、および、検出されたハザードレベルが前記予警報閾値を超えるのに十分であるが前記非常警報閾値を超えるのには不十分である場合は予警報アラートをインスタンス化するように、前記予警報閾値を特定のレベルに上げるステップとを備える、方法。
【請求項４２】
前記再発傾向の発生を、前記ハザード検出器の別の特定のセンサの特定のセンサ読取と相関付けるステップと、
前記再発傾向の前記その後のインスタンスの開始を検出すると、および、前記別の特定のセンサの一時的なセンサ読取が前記特定のセンサ読取と一致する場合、前記予警報閾値を前記特定のレベルに上げるステップとをさらに備える、請求項４１に記載の方法。
【請求項４３】
前記再発傾向の発生を、前記住居内の別の特定の場所に設置される別のハザード検出器の特定のセンサによって検出された特定のハザードレベルと相関付けるステップと、
前記再発傾向の前記その後のインスタンスの開始を検出すると、および、前記別のハザード検出器の前記特定のセンサによって検出された一時的なハザードレベルが前記特定のハザードレベル以上である場合、前記予警報閾値を前記特定のレベルに上げるステップとをさらに備える、請求項４１または４２に記載の方法。
【請求項４４】
前記再発傾向の発生を、前記住居に設置されるホームオートメーションシステムの特定の要素の特定のステータスと相関付けるステップと、
前記再発傾向の前記その後のインスタンスの開始を検出すると、および、前記ホームオートメーションシステムの前記特定の要素の一時的なステータスが前記特定のステータスと一致する場合、前記予警報閾値を前記特定のレベルに上げるステップとをさらに備える、請求項４１から４３のいずれか１項に記載の方法。
【請求項４５】
前記再発傾向の発生を１日のうちの特定の時間帯と相関付けるステップと、
前記再発傾向の前記その後のインスタンスの開始を検出すると、および、１日のうちのある瞬間が前記ハザード検出器によって１日のうちの前記特定の時間帯と一致すると判断されると、前記予警報閾値を前記特定のレベルに上げるステップとをさらに備える、請求項４１から４４のいずれか１項に記載の方法。
【請求項４６】
前記再発傾向の発生を１年のうちの特定の期間と相関付けるステップと、
前記再発傾向の前記その後のインスタンスの開始を検出すると、および、１日のうちのある瞬間が前記ハザード検出器によって１年のうちの前記特定の期間と一致すると判断されると、前記予警報閾値を前記特定のレベルに上げるステップとをさらに備える、請求項４１から４５のいずれか１項に記載の方法。
【請求項４７】
前記住居内の前記特定の場所を規定する入力を受信するステップと、
前記住居内の前記特定の場所を規定する前記入力に基づいて前記予警報閾値を識別するステップと、
この識別に応答して、前記ハザード検出器を前記予警報閾値および前記非常警報閾値に従って動作させるコマンドをインスタンス化するステップとをさらに備える、請求項４１から４６のいずれか１項に記載の方法。
【請求項４８】
前記住居内の前記特定の場所を規定する前記入力に基づいて前記特定のレベルを選択するステップをさらに備える、請求項４７に記載の方法。
【請求項４９】
前記特定の期間は、特定の日の期間、特定の週の期間、特定の月の期間、および特定の年の期間から選択される、請求項４１から４８のいずれか１項に記載の方法。
【請求項５０】
前記特定のセンサによって検出されたデータを、後でアクセスおよび分析することによって前記再発傾向を識別するために、前記ハザード検出器に局所的なデータベースおよび前記ハザード検出器から遠隔のデータベースの少なくとも一方に記憶するステップをさらに備える、請求項４１から４９のいずれか１項に記載の方法。
【請求項５１】
住居内の特定の場所に設置され、ヘッズアップ予警報能力および標準非常警報能力を有するハザード検出器であって、
少なくとも１つのセンサと、
前記少なくとも１つのセンサと作動的通信状態における処理システムとを備え、前記処理システムは、
前記少なくとも１つのセンサによる、反復傾向のインスタンスの開始の検出に応答して、前記ハザード検出器が前記反復傾向の検出されたインスタンスについて予警報アラートをインスタンス化する可能性が低下するが、前記反復傾向がない場合、および、前記少なくとも１つのセンサによって検出されたハザードレベルが前記予警報閾値を超えるのに十分であるが前記少なくとも１つのセンサと関連付けられる非常警報閾値を超えるのには不十分である場合は予警報アラートをインスタンス化するように、前記少なくとも１つのセンサと関連付けられる予警報閾値を特定のレベルに上げる、ハザード検出器。
【請求項５２】
前記処理システムは、前記反復傾向の前記インスタンスの開始の検出に応答して、および、前記ハザード検出器の別の異なるセンサによって検出された一時的なハザードレベルが、前記反復傾向の発生と相関していると先に判断された特定のハザードレベル以上である場合、前記予警報閾値を前記特定のレベルに上げる、請求項５１に記載のハザード検出器。
【請求項５３】
前記処理システムは、前記反復傾向の前記インスタンスの開始の検出に応答して、および、前記住居内の別の場所に設置される別の異なるハザード検出器の特定のセンサによって検出された一時的なハザードレベルが、前記反復傾向の発生と相関していると先に判断された特定のハザードレベル以上である場合、前記予警報閾値を前記特定のレベルに上げる、請求項５１または５２に記載のハザード検出器。
【請求項５４】
前記処理システムは、前記反復傾向の前記インスタンスの開始の検出に応答して、および、前記住居に設置されるホームオートメーションシステムの特定の要素の一時的なステータスが、前記反復傾向の発生と相関していると先に判断された特定のステータスと一致する場合、前記予警報閾値を前記特定のレベルに上げる、請求項５１から５３のいずれか１項に記載のハザード検出器。
【請求項５５】
前記処理システムは、前記反復傾向の前記インスタンスの開始の検出に応答して、および、１日のうちのある瞬間が、前記反復傾向の発生と相関していると先に判断された１日のうちの特定の時間帯と一致する場合、前記予警報閾値を前記特定のレベルに上げる、請求項５１から５４のいずれか１項に記載のハザード検出器。
【請求項５６】
前記処理システムは、前記反復傾向の前記インスタンスの開始の検出に応答して、および、１年のうちのある瞬間が、前記反復傾向の発生と相関していると先に判断された１日のうちの特定の時間帯と一致する場合、前記予警報閾値を前記特定のレベルに上げる、請求項５１から５５のいずれか１項に記載のハザード検出器。
【請求項５７】
前記処理システムは、前記住居内の前記特定の場所のタイプの場所を規定するユーザ入力に基づいて、前記予警報閾値および前記特定のレベルについての値を設定する、請求項５１から５６のいずれか１項に記載のハザード検出器。
【請求項５８】
前記少なくとも１つのハザード検出センサは、一酸化炭素検出センサおよび煙検出センサから選択される、請求項５１から５７のいずれか１項に記載のハザード検出器。
【請求項５９】
ヘッズアップ予警報能力および標準非常警報能力を有するハザード検出器の予警報閾値を調整するための方法であって、前記方法は、
特定の一酸化炭素傾向のインスタンスの開始の検出に応答して、前記ハザード検出器が、前記特定の一酸化炭素傾向の検出されたインスタンスについて予警報アラートをインスタンス化する可能性が低下するが、前記特定の一酸化炭素傾向がない場合、および、一酸化炭素検出器によって検出された一酸化炭素レベルが前記予警報閾値を超えるのに十分であるが前記一酸化炭素検出器と関連付けられる非常警報閾値を超えるのには不十分である場合は予警報アラートをインスタンス化するように、前記ハザード検出器の前記一酸化炭素検出器についての予警報閾値を前記ハザード検出器によって特定のレベルに増加させるステップを備える、方法。
【請求項６０】
前記特定の一酸化炭素傾向の発生を、前記ハザード検出器の別の特定のセンサによって検出された特定のハザードレベル、前記ハザード検出器とは異なる住居内の特定の場所に設置される別のハザード検出器の特定のセンサによって検出された特定のハザードレベル、前記住居に設置されるホームオートメーションシステムの特定の要素の特定のステータス、１日のうちの特定の時間帯、および１年のうちの特定の期間、から選択される少なくとも１つのイベントと相関付けるステップと、
前記再発傾向のその後のインスタンスの開始を検出すると、および、前記少なくとも１つのイベントを同時に検出すると、前記予警報閾値を前記特定のレベルに増加させるステップとをさらに備える、請求項５９に記載の方法。
【請求項６１】
請求項１から１０、請求項２１から３０、請求項４１から５０、請求項５９および請求項６０のいずれか１項に記載の方法をコンピュータに実行させるためのプログラム。